(57)【要約】【課題】  物品を容易に取出すことができるトレイの提供。【解決手段】  （１）底壁１１と底壁１１から立ち上がる対向２壁１２を有し、底壁１１に底壁側凹溝１１ａが設けられ、前記対向２壁１２のいずれか少なくとも一方に側壁側凹溝１２ａが設けられ、底壁側凹溝１１ａと側壁側凹溝１２ａとが連なっている、トレイ１０。（２）底壁側凹溝１１ａと側壁側凹溝１２ａは複数設けられている。（３）トレイ１０は、自動車用コンソールボックスに設けられている。【選択図】        図１
2006176051.tif 000002
【特許請求の範囲】
【請求項１】
底壁と該底壁から立ち上がる対向２壁を有するトレイであって、
前記底壁に底壁側凹溝が設けられ、前記対向２壁のいずれか少なくとも一方に側壁側凹溝が設けられ、前記底壁側凹溝と前記側壁側凹溝とが連なっている、トレイ。
【請求項２】
前記底壁側凹溝と前記側壁側凹溝は複数設けられている請求項１記載のトレイ。
【請求項３】
自動車用コンソールボックスに設けられている請求項１記載のトレイ。
【発明の詳細な説明】
【技術分野】
【０００１】
本発明は、自動車のボックスに設けられるトレイに関し、特にコンソールボックスに設けられるトレイに関する。
【背景技術】
【０００２】
実開昭５８−１６４９４６号公報は、底壁に凹溝を設けたトレイを開示している。
【０００３】
上記公報に開示されたトレイには、つぎの問題点がある。
凹溝がトレイの底壁にのみ設けられているため、トレイの底壁上面の全体を覆う物品をトレイに置いたとき、物品に指を引っ掛けることが困難であり、トレイから物品を取出すことが困難である。
【特許文献１】実開昭５８−１６４９４６号公報
【発明の開示】
【発明が解決しようとする課題】
【０００４】
本発明が解決しようとする問題点は、トレイに置いた物品を取出すことが難しいことである。
本発明の目的は、物品を容易に取出すことができるトレイを提供することにある。
【課題を解決するための手段】
【０００５】
上記目的を達成する本発明はつぎの通りである。
（１）  底壁と該底壁から立ち上がる対向２壁を有するトレイであって、
前記底壁に底壁側凹溝が設けられ、前記対向２壁のいずれか少なくとも一方に側壁側凹溝が設けられ、前記底壁側凹溝と前記側壁側凹溝とが連なっている、トレイ。
（２）  前記底壁側凹溝と前記側壁側凹溝は複数設けられている（１）記載のトレイ。
（３）  自動車用コンソールボックスに設けられている（１）記載のトレイ。
【発明の効果】
【０００６】
上記（１）のトレイでは、（ａ）底壁側凹溝が設けられているので、底壁側凹溝を利用してトレイに置いている物品に指を引っ掛けることができ、物品をトレイから取出しやすい。また、ペンなど転がりやすい物品を底壁側凹溝に置くことにより、トレイ上で物品が転がることを防止できる。
また、（ｂ）側壁側凹溝が設けられているので、トレイの底壁上面の全体を覆う物品をトレイに置いたときにも、側壁側凹溝を利用することで指を物品に引っ掛けることができ、物品をトレイから取出しやすい。また、トレイの底壁上面の全体を覆う物品が平板状であり、この物品をトレイに複数積み重ねた場合でも、側壁側凹溝を利用することで指を物品に引っ掛けることができ、物品をトレイから取出しやすい。
また、（ｃ）底壁側凹溝と側壁側凹溝とが連なっているので、底壁側凹溝と側壁側凹溝の両方を利用してトレイに置いた物品に指を引っ掛けることができ、物品をトレイから容易に取出すことができる。また、底壁側凹溝と側壁側凹溝とが連なっているので、見栄えがよい。
上記（２）のトレイでは、（ａ）底壁側凹溝が複数設けられているので、ペンなど転がりやすい物品が複数ある場合でも、各ペンを各底壁側凹溝に置くことにより、トレイ上で物品が転がることを防止できる。また、カードなどの小さな平板体をトレイに置いた場合でも、物品は複数の底壁側凹溝のいずれかの上に位置する。そのため、底壁側凹溝を利用して物品に指を引っ掛けることができ、物品をトレイから取出しやすい。
また、（ｂ）底壁側凹溝と側壁側凹溝が複数設けられているので、見栄えがよい。
上記（３）のトレイでは、自動車用コンソールボックスにトレイを設けることで、ボックスの収納スペースを区切ることができる。
【発明を実施するための最良の形態】
【０００７】
図１〜図１１は、本発明実施例のトレイを示している。
本発明実施例のトレイ１０は、図２に示すように、自動車のコンソールボックス２０に設けられるトレイであり、とくにコンソールボックス２０に設けられる中段トレイである。トレイ１０は、コンソールボックス２０の収納部２１の底部に空間を確保した状態で、コンソールボックス２０に設けられる。
トレイ１０は、コンソールボックス２０の幅方向（たとえば車両左右方向）全体にわたってまたは略全体にわたって設けられている。トレイ１０は、コンソールボックス２０に設けられる図示略のガイドに沿って、収納部２１内をコンソールボックス２０の長手方向（たとえば車両前後方向）に移動可能とされている。トレイ１０は、コンソールボックス２０に着脱可能とされていることが望ましい。
トレイ１０は、たとえば樹脂製である。トレイ１０は、１部品で構成されている。トレイ１０は、図１に示すように、底壁１１と、底壁１１から上方に立ち上がる対向２壁１２を有する。
【０００８】
底壁１１は、１枚の板で形成されている。底壁１１は、底壁側凹溝１１ａを備える。
底壁側凹溝１１ａは、底壁１１に２個設けられている。ただし、底壁側凹溝１１ａは、底壁１１に３個以上設けられていてもよい。底壁側凹溝１１ａの横断面形状は、図６に示すように円弧状（角部ゼロ）であってもよく、Ｖ字状（角部１個）であってもよく、コ字形（角部２個）であってもよく、角部を３個以上備える形状であってもよい。図１に示すように、底壁側凹溝１１ａは、トレイ１０の長手方向（たとえば車両前後方向）に延びて設けられている。底壁側凹溝１１ａは、底壁１１の長手方向一端から他端まで連続して設けられている。
底壁１１のうち、底壁側凹溝１１ａが設けられていない部分は、平板形状である。
【０００９】
対向２壁１２は、底壁１１の長手方向両端部（たとえば車両前後方向両端部）に設けられている。底壁１１の長手方向と直交する方向の両端部（たとえば車両左右方向両端部）には、底壁１１から上方に立ち上がる壁は設けられていない。
対向２壁１２は、側壁側凹溝１２ａとフランジ１２ｂを備える。
側壁側凹溝１２ａは、対向２壁１２のうちのいずれか少なくとも一方（図示例では両方）に設けられている。以下、実施例では、側壁側凹溝１２ａが対向２壁１２の両方に設けられている場合を説明する。
側壁側凹溝１２ａは、各壁１２に、底壁側凹溝１１ａと同数設けられている。側壁側凹溝１２ａの横断面形状は、図７に示すように円弧状（角部ゼロ）であってもよく、Ｖ字状（角部１個）であってもよく、コ字形（角部２個）であってもよく、角部を３個以上備える形状であってもよい。側壁側凹溝１２ａは、図１に示すように、上下方向に延びて設けられている。側壁側凹溝１２ａは、各壁１２の上端から下端まで連続して設けられている。側壁側凹溝１２ａの下端は、底壁側凹溝１１ａに連なっている。
フランジ１２ｂは、対向２壁１２の上端に設けられている。
【００１０】
ここで、本発明実施例の作用、効果を説明する。
図８は、トレイ１０にＣＤケース１を積み重ねた状態を示している。
トレイ１０は、ＣＤケース１ががたつかずに丁度収納できる程度の大きさであり、ＣＤケース１が積み重なった状態では、側壁側凹溝１２ａを利用して指をＣＤケース１に引っ掛けることができる。
【００１１】
図９は、トレイ１０にＣＤケース１を１枚置いた状態を示している。
ＣＤケース１が１枚のみ置かれている場合、側壁側凹溝１２ａと底壁側凹溝１１ａとが連なっているため、側壁側凹溝１２ａと底壁側凹溝１１ａの両方を利用して指をＣＤケース１に引っ掛けることができる。
【００１２】
図１０は、トレイ１０にカード２とペン３を置いた状態を示している。
カード２が置かれている場合、底壁側凹溝１１ａが複数設けられているため、カード２は、いずれかの底壁側凹溝１１ａにのっている。そのため、底壁側凹溝１１ａを利用してカード２に指を引っ掛けることができる。
また、ペン３が底壁側凹溝１１ａに置かれている場合、ペン３がトレイ１０上で転がることを防止できる。また、ペン３が底壁側凹溝１１ａからはみ出ない程度に細身の場合、ペン３が底壁側凹溝１１ａからはみ出ることがなく、底壁１１に別のものを置いてもペン３との干渉を防ぐことができる。
【００１３】
図１１は、トレイ１０に細身のペン３とジュース缶４を置いた状態を示している。
ジュース缶４が置かれている場合、底壁側凹溝１１ａを利用してジュース缶４を置くことで、ジュース缶４がトレイ１０上で転がることを防止できる。
【００１４】
本発明実施例では、（ａ）底壁側凹溝１１ａが設けられているので、トレイ１０にカード２を置いても底壁側凹溝１１ａを利用してカード２に指を引っ掛けることができ、カード２をトレイ１０から取出しやすい。また、ペン３など転がりやすい物を底壁側凹溝１１ａに置くことにより、トレイ１０上で物品が転がることを防止できる。
（ｂ）側壁側凹溝１２ａが設けられているので、トレイ１０の底壁１１上面の全体を覆うＣＤケース１をトレイ１０に置いたときにも、側壁側凹溝１２ａを利用することで指をＣＤケース１に引っ掛けることができ、ＣＤケース１をトレイ１０から取出しやすい。また、ＣＤケース１をトレイ１０に複数積み重ねた場合でも、側壁側凹溝１２ａを利用することで指をＣＤケース１に引っ掛けることができ、ＣＤケース１をトレイ１０から取出しやすい。
（ｃ）底壁側凹溝１１ａと側壁側凹溝１２ａとが連なっているので、見栄えがよい。また、底壁側凹溝１１ａと側壁側凹溝１２ａの両方を利用してトレイ１０に置いた物品をトレイ１０から取出すことができる。
【００１５】
（ｄ）底壁側凹溝１１ａが複数設けられているので、ペン３など転がりやすい物が複数ある場合でも、各ペン３を各底壁側凹溝１１ａに収納することにより、トレイ１０上で物品が転がることを防止できる。また、カード２をトレイ１０に置いた場合でも、カード２は複数の底壁側凹溝１１ａのいずれかの上に位置する。そのため、底壁側凹溝１１ａを利用してカード２に指を引っ掛けることができ、カード２をトレイ１０から取出しやすい。
（ｅ）底壁側凹溝１１ａと側壁側凹溝１２ａが複数設けられているので、見栄えがよい。
（ｆ）自動車用コンソールボックス２０にトレイ１０が設けられるので、ボックス２０の収納スペースを区切ることができる。
（ｇ）底壁側凹溝１１ａと側壁側凹溝１２ａが設けられているため、凹溝１１ａ、１２ａが設けられていない場合に比べて、トレイ１０の剛性が高まる。そのため、底壁１１と対向２壁１２に剛性を高めるためのリブは不要である。したがって、リブが設けられている場合に比べて見栄えがよい。
（ｈ）また、凹溝１１ａ、１２ａによりトレイ１０の剛性が高まるため、底壁１１の長手方向と直交する方向の両端部から上方に立ち上がる側壁は不要である（トレイ１０をコの字形にすることができる）。そのため、トレイが四側の側壁を備えている場合に比べてトレイ１０の容量が増加する。
（ｉ）トレイ１０には凹溝１１ａ、１２ａが設けられているため、トレイ１０にトレイ１０の収納スペースを複数に分ける仕切り壁は不要である。そのため、仕切り壁が設けられている場合に比べて見栄えがよい。
【図面の簡単な説明】
【００１６】
【図１】本発明実施例のトレイの斜視図である。
【図２】本発明実施例のトレイがコンソールボックスに設けられた場合を示す斜視図である。
【図３】本発明実施例のトレイの平面図である。
【図４】本発明実施例のトレイの側面図である。
【図５】本発明実施例のトレイの正面図である。
【図６】図３のＡ−Ａ線端面図である。
【図７】図５のＢ−Ｂ線端面図である。
【図８】本発明実施例のトレイにＣＤケースを複数積み重ねたときの斜視図である。
【図９】本発明実施例のトレイにＣＤケースを１枚収納したときの斜視図である。
【図１０】本発明実施例のトレイにペンとカードを収納したときの斜視図である。
【図１１】本発明実施例のトレイにペンとジュース缶を収納したときの端面図である。
【符号の説明】
【００１７】
１０  トレイ
１１  底壁
１１ａ  底壁側凹溝
１２  対向２壁
１２ａ  側壁側凹溝
２０  コンソールボックス
２１  コンソールボックスの収容部
【図１】
2006176051.tif 000003
【図２】
2006176051.tif 000004
【図３】
2006176051.tif 000005
【図４】
2006176051.tif 000006
【図５】
2006176051.tif 000007
【図６】
2006176051.tif 000008
【図７】
2006176051.tif 000009
【図８】
2006176051.tif 000010
【図９】
2006176051.tif 000011
【図１０】
2006176051.tif 000012
【図１１】
2006176051.tif 000013